(57)【要約】【課題】  各レースの予想を一瞥しただけで分かるように表示可能な競馬予想表を提案すること。【解決手段】  競馬予想表１は、縦長の矩形枠２の内部が上下に三つの区画に仕切られ、上側から順に、見出し欄１１、予想欄１２および備考欄１４が形成されている。予想欄１２には、「ＢＯＸ馬６頭拾い出し表」の文字が記入されている見出し行３１の下側に、左側から順に、レース結果欄３２、レース番号欄３３、予想番号欄３４、仕切り欄３５、穴番号記入欄３６および配当欄３７が形成されている。予想番号記入欄３４には、各レースにおいて１着になる可能性の高い順に６頭の馬のボックス番号を記入する枡目が形成されており、先頭の見出し行には、順位を表す「１」から「６」までの数字が記入されている。【選択図】  図１
2005280103.tif 000002
【特許請求の範囲】
【請求項１】
レース開催場所および開催日時などが記入されている見出し欄と、
レース番号が記入されているレース番号欄と、
各レースの予想を記入するための予想欄とを有し、
予想欄は、
各レースにおいて１着になる可能性の高い順に複数の馬ボックス番号を記入するための番号記入欄と、
各レースにおける大穴の馬ボックス番号を記入するための穴番号記入欄と、
各レースの配当額を記入するための配当欄と、
予想欄に記入した予想が的中したか否かを記入するためのレース結果欄とを備えており、
これらレース番号欄、番号記入欄、穴番号記入欄、配当欄、およびレース結果欄が行方向あるいは列方向に配列されている競馬予想表。
【請求項２】
請求項１において、さらに、
各レースのワイドボックスの配当額を記入するためのワイドボックス配当欄と、
備考欄とを有している競馬予想表。
【請求項３】
請求項２において、
矩形枠の内部が上下に四つに仕切られ、上側から順に、見出し欄、予想欄、ワイドボックス配当欄および備考欄が割り当てられている競馬予想表。
【発明の詳細な説明】
【技術分野】
【０００１】
本発明は、各レースの予想が分かり易く表示され、馬券購入にも便利な競馬予想表に関するものである。
【背景技術】
【０００２】
競馬の予想は、競馬新聞などに掲載されているように、馬名、騎手名などと共に、二重丸、丸、三角、×印などの表記により行われているのが一般的である。また、近年においては、インターネット上においても競馬予想表が掲載されているが、表示形態は新聞紙上の予想表と同様である。
【発明の開示】
【発明が解決しようとする課題】
【０００３】
しかしながら、一般的に知られている競馬の予想表は各種の情報を掲載する関係上、素人などにとっては分かり辛く、一瞥しただけでは予想順位などを理解できない。また、馬券の購入に際しても不便である。
【０００４】
本発明の課題は各レースの予想順位が分かり易く表示された競馬予想表を提案することにある。
【課題を解決するための手段】
【０００５】
上記の課題を解決するために、本発明の競馬予想表は、
レース開催場所および開催日時などが記入されている見出し欄と、
レース番号が記入されているレース番号欄と、
各レースの予想を記入するための予想欄とを有し、
予想欄は、
各レースにおいて１着になる可能性の高い順に複数の馬ボックス番号を記入するための番号記入欄と、
各レースにおける大穴の馬ボックス番号を記入するための穴番号記入欄と、
各レースの配当額を記入するための配当欄と、
前記予想欄に記入した予想が的中したか否かを記入するためのレース結果欄とを備えており、
これらレース番号欄、番号記入欄、穴番号記入欄、配当欄、およびレース結果欄が行方向あるいは列方向に配列されていることを特徴としている。
【０００６】
ここで、上記の各欄に加えて、各レースのワイドボックスの配当額を記入するワイドボックス配当欄と備考欄を有していることが望ましい。
【０００７】
競馬予想表は、Ａ版あるいはＢ版の紙に印刷して使用されるので、矩形枠の内部を上下に四つに仕切り、上側から順に、場所・日時欄、予想欄、ワイドボックス配当欄および備考欄を割り当てればよい。
【発明の効果】
【０００８】
本発明の競馬予想表の予想欄には、レース毎に、ボックス番号が着順に記入される。よって、一瞥しただけで、各レースの予想順位を理解できる。また、記入番号に基づき、誤りなく希望する馬券を購入できる。
【発明を実施するための最良の形態】
【０００９】
以下に、図面を参照して、本発明を適用した競馬予想表を説明する。
【００１０】
（実施例１）
図１は競馬予想表の一例を示す説明図である。本例の競馬予想表１は用紙１００に印刷されており、縦長の矩形枠２の内部が上下に三つの区画に仕切られ、上側から下側に向けて、見出し欄１１、予想欄１２および備考欄１４が形成されている。
【００１１】
見出し欄１１には、予想提供者表示部２１、競馬開催場所の表示部２２、開催日時などの表示部２３などが形成されている。
【００１２】
この下側の予想欄１２には、「ＢＯＸ馬６頭拾い出し表」の文字が記入されている見出し行３１の下側に、左側から順に、レース結果欄３２、レース番号欄３３、番号記入欄３４、仕切り欄３５、穴番号記入欄３６および配当欄３７が形成されている。レース結果欄３２には「結果」の見出しが付けられており、ここには、レース結果を、馬単的中の場合に二重丸印、３連複的中の場合に星印、ワイド的中の場合に丸印などで記入することができる。レース番号欄３３には「レース」の見出しが付けられており、第１レースから第１２レースを表す「１」から「１２」までの数字が各行に記入されている。予想番号記入欄３４は、各レースにおいて１着になる可能性の高い順に複数、本例では６頭の馬ボックス番号を記入する枡目が形成されており、先頭の見出し行には、「力順」の見出しに続き、順位を表す「１」から「６」までの数字が記入されている。
【００１３】
番号記入欄３４の左側に隣接する縦一列の仕切り欄３５には「此れから先万馬券・・・」などの注釈が記入されており、この隣の穴番号記入欄３６は２列形成されており、それぞれに、「特注穴」の見出しが付いている。この隣に形成されている配当欄３７は、「馬単配当」の見出しの付いている単勝の配当額の記入欄と、「３連複配当」の見出しの付いている３連勝複式の配当額の記入欄と、「３連単配当」の見出しのついている３連単勝の配当額の記入欄を備えている。
【００１４】
この構成の競売予想表１は、予想担当者により、番号記入欄３４および穴番号記入欄３６にボックス番号が記入されて、利用者に配布される。図１には予想番号を記入した状態を示してある。利用者は、各レースにおける予想番号から、これはと思う番号を選び、馬券を購入する。レース終了後には、レース結果欄３２に、当り、外れなどを表す記号を記入し、配当欄３７およびワイドボックス配当欄１３に配当額を記入する。
【００１５】
本例の競馬予想表は、レース毎に、１着になる可能性の高い馬から順に、ボックス番号で予想を記入するように構成されている。したがって、従来の予想表に比べて、極めて見易いという利点がある。また、馬券購入に際しても誤ることがないという利点もある。
【００１６】
（実施例２）
図２は競馬予想表の他の例を示す説明図である。本例の競馬予想表１Ａの基本構成は実施例１の競馬予想表１と同一であるので、対応する部位には同一の符号を付し、それらの説明は省略する。競売予想表１Ａは用紙１００に印刷されており、縦長の矩形枠２の内部が上下に四つの区画に仕切られ、上側から下側に向けて、見出し欄１１、予想欄１２、ワイドボックス配当欄１３および備考欄１４が形成されている。
【００１７】
予想欄１２における配当欄３７には、「馬単配当」の見出しの付いている単勝の配当額の記入欄と、「３連複配当」の見出しの付いている３連勝複式の配当額の記入欄が形成されている。予想欄１２の下側のワイドボックス配当欄１３は、各レースのワイドボックスの配当額を記入するためのものであり、先頭の見出し行には、左から順に、「１Ｒ」〜「１２Ｒ」の見出しが付いており、この下側の３つの行の左端には、「１着２着」「１着３着」および「２着３着」の見出しが付いている。
【００１８】
（その他の実施の形態）
なお、本例の競馬予想表１、１Ａは用紙１００に印刷してある。この代わりに、パソコンなどを用いて電子データの形態で競馬予想表を作成し、これを、インターネットなどの通信手段を介して配布して、各利用者端末において表示できるようにしてもよい。
【図面の簡単な説明】
【００１９】
【図１】本発明を適用した競売予想表の一例を示す説明図である。
【図２】本発明を適用した競馬予想表の別の例を示す説明図である。
【符号の説明】
【００２０】
１、１Ａ  競馬予想表
２  矩形枠
１１  見出し欄
１２  予想欄
１３  ワイドボックス配当欄
１４  備考欄
３２  レース結果記入欄
３３  レース番号欄
３４  番号記入欄
３６  穴番号記入欄
３７  配当欄
【図１】
2005280103.tif 000003
【図２】
2005280103.tif 000004
【手続補正書】
【提出日】平成16年4月8日(2004.4.8)
【手続補正１】
【補正対象書類名】明細書
【補正対象項目名】００１３
【補正方法】変更
【補正の内容】
【００１３】
番号記入欄３４の右側に隣接する縦一列の仕切り欄３５には「此れから先万馬券・・・」などの注釈が記入されており、この隣の穴番号記入欄３６は２列形成されており、それぞれに、「特注穴」の見出しが付いている。この隣に形成されている配当欄３７は、「馬単配当」の見出しの付いている単勝の配当額の記入欄と、「３連複配当」の見出しの付いている３連勝複式の配当額の記入欄と、「３連単配当」の見出しのついている３連単勝の配当額の記入欄を備えている。
【手続補正２】
【補正対象書類名】図面
【補正対象項目名】全図
【補正方法】変更
【補正の内容】
【図１】
2005280103.tif 000005
【図２】
2005280103.tif 000006